(57)【要約】  【課題】  電子機器間における信号伝送の高速化に伴う不要輻射を十分に抑制することが困難であった。  【解決手段】  ケーブル配線１１０、および外装シールド１３０を有するシールドフレキシブルケーブル１００を、グラウンド接触領域２１０、および基板配線２２０を有するプリント基板２００に、電気的に接続するためのコネクタであって、プリント基板２００に装着される、シールドフレキシブルケーブル１００のケーブル先端側が挿入される枠体３１０と、枠体３１０に回動自在に装着された、外装シールド１３０をグラウンド接触領域２１０に圧接する第一圧接部材３２０と、外装シールド１３０がグラウンド接触領域２１０に圧接された第一圧接状態を保持する第一圧接状態保持部材３３０とを備えた、コネクタである。【選択図】  図２
2006351442.tif 000002
【特許請求の範囲】
【請求項１】
ケーブル先端側にケーブル配線端部をもつケーブル配線、および前記ケーブル先端側から見て前記ケーブル配線端部より後ろに下がった位置に外装シールド端部をもつ外装シールドを有するケーブルを、基板外周側に配置されたグラウンド接触領域、および前記基板外周側から見て前記グラウンド接触領域より中に入った位置に基板配線端部をもつ基板配線を有する基板に、電気的に接続するためのコネクタであって、
前記基板に装着される、前記ケーブルの前記ケーブル先端側が挿入される枠体と、
前記枠体に回動自在に装着された、前記外装シールドを前記グラウンド接触領域に圧接する第一圧接部材と、
前記外装シールドが前記グラウンド接触領域に圧接された第一圧接状態を保持する第一圧接状態保持部材とを備えた、コネクタ。
【請求項２】
前記第一圧接状態保持部材は、前記第一圧接部材を前記枠体に連結する軸、および前記軸に付勢するスプリングを有する請求項１記載の、コネクタ。
【請求項３】
前記第一圧接状態保持部材は、前記枠体に形成された凸形状または凹形状をもつ枠体凹凸部、および前記第一圧接部材に形成された前記枠体凹凸部と嵌め合う凸形状または凹形状をもつ圧接部材凹凸部を有する請求項１記載の、コネクタ。
【請求項４】
前記枠体および前記第一圧接部材は、導電性材料を利用して構成されている請求項１記載の、コネクタ。
【請求項５】
前記枠体に回動自在に装着された、前記ケーブル配線を前記基板配線に圧接する第二圧接部材と、
前記ケーブル配線が前記基板配線に圧接された第二圧接状態を保持する第二圧接状態保持部材とを備えた請求項１記載の、コネクタ。
【請求項６】
前記第二圧接状態保持部材は、前記第二圧接部材を前記枠体に連結する軸、および前記軸に付勢するスプリングを有する請求項５記載の、コネクタ。
【請求項７】
前記第二圧接状態保持部材は、前記枠体に形成された凸形状または凹形状をもつ枠体凹凸部、および前記第二圧接部材に形成された前記枠体凹凸部と嵌め合う凸形状または凹形状をもつ圧接部材凹凸部を有する請求項５記載の、コネクタ。
【請求項８】
前記第二圧接部材は、絶縁性材料を利用して構成されている請求項５記載の、コネクタ。
【請求項９】
前記第二圧接部材は、前記第一圧接部材と一体的に構成されており、
前記第二圧接状態保持部材は、前記第一圧接状態保持部材と一体的に構成されている請求項５記載の、コネクタ
【請求項１０】
ケーブル先端側にケーブル配線端部をもつケーブル配線、および前記ケーブル先端側から見て前記ケーブル配線端部より後ろに下がった位置に外装シールド端部をもつ外装シールドを有するケーブルを、基板外周側に配置されたグラウンド接触領域、および前記基板外周側から見て前記グラウンド接触領域より中に入った位置に基板配線端部をもつ基板配線を有する基板に、電気的に接続するための電気的接続方法であって、
前記基板に装着される、前記ケーブルの前記ケーブル先端側が挿入される枠体に対して、前記ケーブル先端側を挿入する挿入ステップと、
前記枠体に回動自在に装着された、前記外装シールドを前記グラウンド接触領域に圧接する第一圧接部材を利用して、前記外装シールドを前記グラウンド接触領域に圧接する圧接ステップと、
前記外装シールドが前記グラウンド接触領域に圧接された第一圧接状態を保持する第一圧接状態保持部材を利用して、前記第一圧接状態を保持する第一圧接状態保持ステップとを備えた、電気的接続方法。
【発明の詳細な説明】
【技術分野】
【０００１】
本発明は、たとえば、電子機器間における高速信号伝送に利用されるコネクタ、および電気的接続方法に関する。
【背景技術】
【０００２】
電子機器間における信号伝送においては、その伝送媒体としてシールドフレキシブルケーブルがしばしば用いられている。
【０００３】
ここで、従来のシールドフレキシブルケーブル（その１）の斜視図である図６を参照しながら、従来のシールドフレキシブルケーブル（その１）について具体的に説明する。
【０００４】
従来のシールドフレキシブルケーブル（その１）は、平面的に平行配置された、グラウンド配線１およびケーブル配線２を含む複数本のケーブル配線と、ケーブル配線を被覆する絶縁被覆３と、絶縁被覆３を介してケーブル配線を覆う導電体からなる外装シールド４とを備えており、ケーブル端部では、絶縁被覆３および外装シールド４がコネクタ（図示省略）との接続のためケーブル端部の片方の面側で除去され、ケーブル配線の導電部が露出している。
【０００５】
そして、従来のシールドフレキシブルケーブル（その１）においては、外装シールド４が細い架橋部でのみグラウンド配線１と接続されている。
【０００６】
従来のシールドフレキシブルケーブル（その１）は、電子機器間における信号伝送の高速化に伴う不要輻射を抑制するために使用されるが、電子機器間における信号伝送の高速化が近年益々進んでいるために、従来のシールドフレキシブルケーブル（その１）では、このような不要輻射を十分に抑制することが難しくなってきている。
【０００７】
その原因は、従来のシールドフレキシブルケーブル（その１）では、外装シールド４が細い架橋部でのみグラウンド配線１と接続されるために、外装シールド４に関するグラウンドインピーダンスがこの架橋部で高くなってしまい、コモンモード電圧が誘起されるからである。
【０００８】
ここで、従来のシールドフレキシブルケーブル（その２）の斜視図である図７を参照しながら、従来のシールドフレキシブルケーブル（その２）について具体的に説明する（例えば、特許文献１参照）。
【０００９】
従来のシールドフレキシブルケーブル（その２）は、平面的に平行配置された、ケーブル配線１２を含む複数本のケーブル配線と、ケーブル配線を被覆する絶縁被覆１３と、絶縁被覆１３を介してケーブル配線を覆う導電体からなる外装シールド１４とを備えており、ケーブル端部では、絶縁被覆１３および外装シールド１４がコネクタ（図示省略）との接続のためケーブル端部の片方の面側で除去され、ケーブル配線の導電部が露出している。
【００１０】
そして、従来のシールドフレキシブルケーブル（その２）においては、外装シールド１４と導通する導電性の補強板５が外装シールド１４の外側に設けられており、コネクタ（図示省略）との接続のためのコネクタ接続端部がケーブル配線、外装シールド１４、および補強板１５によって形成されている。
【００１１】
従来のシールドフレキシブルケーブル（その２）では、外装シールド１４が補強板１５およびコネクタ（図示省略）を介して同コネクタに半田付けされる基板グラウンド（図示省略）と電気的に接続されるために、外装シールド１４に関するグラウンドインピーダンスは従来のシールドフレキシブルケーブル（その１）の場合と比べてより低くなる。
【特許文献１】特開２００２−１５０８４８号公報
【発明の開示】
【発明が解決しようとする課題】
【００１２】
しかしながら、コネクタと基板グラウンドとは数カ所で半田付けされるだけであり、これらの電気的な接続は必ずしも十分ではなく、外装シールド１４に関するグラウンドインピーダンスが結局それほど低くならないために、前述したような電子機器間における信号伝送の高速化に伴う不要輻射を十分に抑制することはやはり難しいことに、本発明者は気付いた。
【００１３】
なお、補強板５を設ける加工が必要となるために、従来のシールドフレキシブルケーブル（その２）の製造コストは高くなりがちであった。
【００１４】
このように、電子機器間における信号伝送の高速化に伴う不要輻射を十分に抑制することが困難であるという課題があった。
【００１５】
本発明は、上記従来のこのような課題を考慮し、電子機器間における信号伝送の高速化に伴う不要輻射をより抑制することができるコネクタ、および電気的接続方法を提供することを目的とする。
【課題を解決するための手段】
【００１６】
上記目的のうち１つは、以下のコネクタにより達成される。
【００１７】
ケーブル先端側にケーブル配線端部をもつケーブル配線、および前記ケーブル先端側から見て前記ケーブル配線端部より後ろに下がった位置に外装シールド端部をもつ外装シールドを有するケーブルを、基板外周側に配置されたグラウンド接触領域、および前記基板外周側から見て前記グラウンド接触領域より中に入った位置に基板配線端部をもつ基板配線を有する基板に、電気的に接続するためのコネクタであって、
前記基板に装着される、前記ケーブルの前記ケーブル先端側が挿入される枠体と、
前記枠体に回動自在に装着された、前記外装シールドを前記グラウンド接触領域に圧接する第一圧接部材と、
前記外装シールドが前記グラウンド接触領域に圧接された第一圧接状態を保持する第一圧接状態保持部材とを備えた、コネクタである。
【発明の効果】
【００１８】
本発明は、電子機器間における信号伝送の高速化に伴う不要輻射をより抑制することができるという長所を有する。
【発明を実施するための最良の形態】
【００１９】
以下、本発明の実施の形態について、図面を用いて説明する。
【００２０】
（実施の形態１）
はじめに、本発明の実施の形態１のコネクタの模式的な斜視図である図１、および本発明の実施の形態１のコネクタがシールドフレキシブルケーブル１００をプリント基板２００に電気的に接続する状態を説明するための模式的な断面図である図２を参照しながら、本発明の実施の形態１のコネクタの構成および動作について説明する。
【００２１】
ここに、図２は、原点ＯのＸＹＺ空間におけるＸＹ平面（図１参照）に関する断面図である。
【００２２】
なお、本発明の実施の形態１のコネクタの構成および動作について説明しながら、本発明の電気的接続方法の一実施の形態についても説明する（その他の実施の形態についても同様である）。
【００２３】
本実施の形態のコネクタは、シールドフレキシブルケーブル１００をプリント基板２００に電気的に接続するためのコネクタである。
【００２４】
なお、シールドフレキシブルケーブル１００は、プリント基板２００に接続されるケーブル先端側にケーブル配線端部をもつケーブル配線１１０、ケーブル配線１１０を被覆する絶縁被覆１２０、および絶縁被覆１２０を介してケーブル配線１１０を覆う、ケーブル先端側から見てケーブル配線端部より後ろに下がった位置に外装シールド端部をもつ外装シールド１３０を有している。
【００２５】
また、プリント基板２００は、基板外周側に配置されたグラウンド接触領域２１０、および基板外周側から見てグラウンド接触領域２１０より中に入った位置に基板配線端部をもつ、シールドフレキシブルケーブル１００に接続される部分を除いて絶縁皮膜（図示省略）が形成された基板配線２２０を有している。
【００２６】
本実施の形態のコネクタは、枠体３１０と、第一圧接部材３２０と、第一圧接状態保持部材３３０と、第二圧接部材３４０と、第二圧接状態保持部材３５０とを備えている。
【００２７】
枠体３１０は、プリント基板２００に装着される、シールドフレキシブルケーブル１００のケーブル先端側が挿入される部材である。枠体３１０は、シールドフレキシブルケーブル１００のケーブル先端側が挿入される方向以外の三方向を囲む壁部を形成するように組み合わされた、プリント基板２００に半田付けまたはピン付けされる三つの板状部材を有しており、導電性材料を利用して構成されている。
【００２８】
第一圧接部材３２０は、枠体３１０に点線で示した両向き矢印Ａの方向へ回動自在に装着された、外装シールド１３０をグラウンド接触領域２１０に圧接する部材である。第一圧接部材３２０は、外装シールド１３０をグラウンド接触領域２１０により確実に圧接できる突起部を形成するように設けられた三角柱状部材３２１を有しており、導電性材料を利用して構成されている。
【００２９】
第一圧接状態保持部材３３０は、外装シールド１３０がグラウンド接触領域２１０に圧接された第一圧接状態を保持する部材である。第一圧接状態保持部材３３０は、第一圧接部材３２０を枠体３１０に連結する軸３３１、および軸３３１に付勢するスプリング３３２を有している。もちろん、図示されている状態は、外装シールド１３０がグラウンド接触領域２１０に圧接されないように、このようなスプリング３３２による付勢に抵抗する外力がわざと印加されている、シールドフレキシブルケーブル１００をプリント基板２００に電気的に接続する前の状態である。
【００３０】
第二圧接部材３４０は、枠体３１０に点線で示した両向き矢印Ｂの方向へ回動自在に装着された、ケーブル配線１１０を基板配線２２０に圧接する部材である。第二圧接部材３４０は、ケーブル配線１１０を基板配線２２０により確実に圧接できる突起部を形成するように設けられた三角柱状部材３４１を有しており、絶縁性材料を利用して構成されている。
【００３１】
第二圧接状態保持部材３５０は、ケーブル配線１１０が基板配線２２０に圧接された第二圧接状態を保持する部材である。第二圧接状態保持部材３５０は、第二圧接部材３４０を枠体３１０に連結する軸３５１、および軸３５１に付勢するスプリング３５２を有している。もちろん、図示されている状態は、ケーブル配線１１０が基板配線２２０に圧接されないように、このようなスプリング３５２による付勢に抵抗する外力がわざと印加されている、シールドフレキシブルケーブル１００をプリント基板２００に電気的に接続する前の状態である。
【００３２】
なお、枠体３１０は本発明の枠体に対応し、第一圧接部材３２０は本発明の第一圧接部材に対応し、第一圧接状態保持部材３３０は本発明の第一圧接状態保持部材に対応する。また、軸３３１は本発明の軸に対応し、スプリング３３２は本発明のスプリングに対応する。また、第二圧接部材３４０は本発明の第二圧接部材に対応し、第二圧接状態保持部材３５０は本発明の第二圧接状態保持部材に対応する。また、軸３５１は本発明の軸に対応し、スプリング３５２は本発明のスプリングに対応する。
【００３３】
ここまでで、本実施の形態のコネクタの構成および動作について詳細に説明した。
【００３４】
本実施の形態によると、従来のシールドフレキシブルケーブル１００およびプリント基板２００をそのまま利用して、三角柱状部材３２１が外装シールド１３０をグラウンド接触領域２１０により確実に圧接できる突起部を形成するように設けられているために、外装シールド１３０はグラウンド接触領域２１０と直接的に広面積で接触することが可能となり、グラウンドの低インピーダンス化を図ることが可能である。
【００３５】
もちろん、外装シールド１３０をグラウンド接触領域２１０により確実に圧接できることが肝腎であるため、円錐形状や爪形状などを有する部材がこのような突起部を形成するように設けられていてもよい。
【００３６】
なお、枠体３１０および第一圧接部材３２０を絶縁性材料で形成することにより、低製造コスト化を図ることも可能であるが、これらを構成導電性材料で形成することにより、上述のグラウンドがより増大し、より低インピーダンス化を図ることが可能である。
【００３７】
また、第二圧接部材３４０を絶縁性材料で形成することにより、シールドフレキシブルケーブル１００の上下面を逆向きに誤接続して機器に電源を投入してしまった場合にも、ケーブル配線１１０などが他のケーブル配線とショートすることが少なく、回路故障の危険性を低減することが可能となる。
【００３８】
かくして、本実施の形態によると、高速信号伝送時における伝送特性の悪化や不要輻射の発生を抑制することが可能となる。
【００３９】
（実施の形態２）
つぎに、本発明の実施の形態２のコネクタの模式的な斜視図である図３、および本発明の実施の形態２のコネクタがシールドフレキシブルケーブル１００をプリント基板２００に電気的に接続する状態を説明するための模式的な断面図である図４を参照しながら、本発明の実施の形態２のコネクタの構成および動作について説明する。
【００４０】
ここに、図４は、原点ＯのＸＹＺ空間におけるＸＹ平面（図３参照）に関する断面図である。
【００４１】
本実施の形態のコネクタは、前述した実施の形態１のコネクタと同様、シールドフレキシブルケーブル１００をプリント基板２００に電気的に接続するためのコネクタである。
【００４２】
本実施の形態のコネクタは、枠体４１０と、圧接部材４２０と、圧接状態保持部材４３０とを備えている。
【００４３】
枠体４１０は、プリント基板２００に装着される、シールドフレキシブルケーブル１００のケーブル先端側が挿入される部材である。枠体４１０は、シールドフレキシブルケーブル１００のケーブル先端側が挿入される方向以外の三方向を囲む壁部を形成するように組み合わされた、プリント基板２００に半田付けまたはピン付けされる三つの板状部材を有しており、導電性材料を利用して構成されている。
【００４４】
圧接部材４２０は、枠体４１０に点線で示した両向き矢印Ｃの方向へ回動自在に装着された、外装シールド１３０をグラウンド接触領域２１０に圧接するとともに、ケーブル配線１１０を基板配線２２０に圧接する部材である。圧接部材４２０は、外装シールド１３０をグラウンド接触領域２１０により確実に圧接できる突起部を形成するように設けられた三角柱状部材４２１、およびケーブル配線１１０を基板配線２２０により確実に圧接できる突起部を形成するように設けられた三角柱状部材４２２を有しており、三角柱状部材４２２は絶縁性材料を利用して構成されているが、それ以外の部材は導電性材料を利用して構成されている。
【００４５】
圧接状態保持部材４３０は、外装シールド１３０がグラウンド接触領域２１０に圧接された第一圧接状態を保持するとともに、ケーブル配線１１０が基板配線２２０に圧接された第二圧接状態を保持する部材である。圧接状態保持部材４３０は、枠体４１０に形成された凹形状をもつ枠体凹部４３１、および圧接部材４２０に形成された枠体凹部４３１と嵌め合う凸形状をもつ圧接部材凸部４３２を有している。
【００４６】
なお、枠体４１０は本発明の枠体に対応し、圧接部材４２０は本発明の第一圧接部材および第二圧接部材を含む手段に対応し、圧接状態保持部材４３０は本発明の第一圧接状態保持部材および第二圧接状態保持部材を含む手段に対応する。また、枠体凹部４３１は本発明の枠体凹凸部に対応し、圧接部材凸部４３２は本発明の圧接部材凹凸部に対応する。
【００４７】
ここまでで、本実施の形態のコネクタの構成および動作について詳細に説明した。
【００４８】
本実施の形態によると、枠体凹部４３１と圧接部材凸部４３２とを一回嵌め合うだけで、ケーブル配線１１０と基板配線２２０との圧接、および外装シールド１３０とグラウンド接触領域２１０との圧接を同時に行うことができ、圧接を行うための作業を簡略化したうえで、外装シールド１３０はグラウンド接触領域２１０と直接的に広面積で接触することが可能となり、前述した実施の形態１と同程度のグラウンドの低インピーダンス化を図ることが可能である。
【００４９】
なお、三角柱状部材４２２以外の圧接部材４２０の部材を導電性材料で形成することにより、このようなグラウンドがより増大し、より低インピーダンス化を図ることが可能である。
【００５０】
また、三角柱状部材４２２を絶縁性材料で形成することにより、シールドフレキシブルケーブル１００の上下面を逆向きに誤接続して機器に電源を投入してしまった場合にも、ケーブル配線１１０などが他のケーブル配線とショートすることが少なく、回路故障の危険性を低減することが可能となる。
【００５１】
以上においては、実施の形態１〜２について詳細に説明した。
【００５２】
なお、本発明の実施の形態の、接触強化用の半田２１１がグラウンド接触領域２１０に塗布されたプリント基板２００′の模式的な平面図である図５に示されているように、プリント基板２００上のグラウンド接触領域２１０に、外装シールド１３０との接触強化用の半田２１１が塗布されていてもよい。
【００５３】
このようにすることで、グラウンド接触領域２１０と外装シールド１３０との接触の圧力が強くなり、より低インピーダンス化を図ることが可能である。
【００５４】
もちろん、半田２１１を塗布する形状は、たとえば、複数の円形形状であってもよいし、複数の帯形状であってもよい。
【産業上の利用可能性】
【００５５】
本発明のコネクタ、および電気的接続方法は、電子機器間における信号伝送の高速化に伴う不要輻射をより抑制することができ、複数のプリント基板間にまたがる信号伝送路を接続するための高周波用コネクタなどに有用である。
【図面の簡単な説明】
【００５６】
【図１】本発明の実施の形態１のコネクタの模式的な斜視図
【図２】本発明の実施の形態１のコネクタがシールドフレキシブルケーブル１００をプリント基板２００に電気的に接続する状態を説明するための模式的な断面図
【図３】本発明の実施の形態２のコネクタの模式的な斜視図
【図４】本発明の実施の形態２のコネクタがシールドフレキシブルケーブル１００をプリント基板２００に電気的に接続する状態を説明するための模式的な断面図
【図５】本発明の実施の形態の、接触強化用の半田２１１がグラウンド接触領域２１０に塗布されたプリント基板２００′の模式的な平面図
【図６】従来のシールドフレキシブルケーブル（その１）の斜視図
【図７】従来のシールドフレキシブルケーブル（その２）の斜視図
【符号の説明】
【００５７】
１  グラウンド配線
２  ケーブル配線
３  絶縁被覆
４  外装シールド
１２  ケーブル配線
１３  絶縁被覆
１４  外装シールド
１５  補強板
１００  シールドフレキシブルケーブル
１１０  ケーブル配線
１２０  絶縁被覆
１３０  外装シールド
２００  プリント基板
２１０  グラウンド接触領域
２２０  基板配線
３１０  枠体
３２０  第一圧接部材
３２１  三角柱状部材
３３０  第一圧接状態保持部材
３３１  軸
３３２  スプリング
３４０  第二圧接部材
３４１  三角柱状部材
３５０  第二圧接状態保持部材
３５１  軸
３５２  スプリング
４１０  枠体
４２０  圧接部材
４２１  三角柱状部材
４２２  三角柱状部材
４３０  圧接状態保持部材
４３１  枠体凹部
４３２  圧接部材凸部
【図２】
2006351442.tif 000003
【図４】
2006351442.tif 000004
【図５】
2006351442.tif 000005
【図６】
2006351442.tif 000006
【図７】
2006351442.tif 000007
【図１】
2006351442.tif 000008
【図３】
2006351442.tif 000009